(57)【要約】      （修正有）【課題】日常のビジネスに必要な多種類の小物を適宜、分類仕分けして、衣服等の他の収納物と分別した形で適切に仕分けして収納することができるバッグを提供する。【解決手段】バッグ本体の厚さ方向内側部には、複数のポケット部１８ａ、１８ｂを有するオーガナイザー部１９が設けられると共に、オーガナイザー部を開閉可能に被覆すると共に主収納部３２との間を仕切る被覆パネル２１が設けられている。【選択図】図２
0003140482.tif 000002
【実用新案登録請求の範囲】
【請求項１】
バッグ本体の厚さ方向内側部には、上記バッグ本体に固定されて複数のポケット部を有するオーガナイザー部が設けられると共に、上記オーガナイザー部を開閉可能に被覆すると共に主収納部との間を仕切る被覆パネルが設けられていることを特徴とするバッグ。
【請求項２】
上記オーガナイザー部はバッグ本体の正面側の厚さ方向側面板部の内方全体に亘って設けられていることを特徴とする請求項１記載のバッグ。
【請求項３】
上記被覆パネルは、下端部において厚さ方向側面板に固定され、両側端部及び上端部がジッパーにより上記厚さ方向側面板部に開閉可能に固定されることを特徴とする請求項1記載のバッグ。
【請求項４】
上記被覆パネルは、ファスナーにより上記厚さ方向側面板部に対して着脱可能に固定されていることを特徴とする請求項1記載のバッグ。
【請求項５】
上記バッグ本体には副収納部が設けられ、上記副収納部を画成する仕切り板及びバッグ本体の裏面側の厚さ方向側面板部には、内部が視認可能なメッシュ状のポケット部が設けられていることを特徴とする請求項1記載のバッグ。
【請求項６】
バッグ本体の裏面側の厚さ方向側面板部の外部には、上方に開口部を有するポケット部が形成され、上記ポケット部の上端部には、キャリーバッグのハンドル部が挿入されうるスリットが形成され、上記スリットはジッパーにより開閉可能に形成されていると共に、上記ポケット部の上縁部は上記スリットの長さ方向中央部に設けられたフックにより上記ポケット部を上記側面板部へ固定しうるように構成されていることを特徴とする請求項1記載のバッグ。
【考案の詳細な説明】
【技術分野】
【０００１】
本考案はバッグに係り、特に、ビジネスに使用するメモ用紙、筆記具、パソコン等を収納して持ち歩くバッグの改良に関する。
【０００２】
従来より、この種のバッグには、多種類のビジネスに必要なツール、例えば、ボールペン、メモ用紙、定規等の文房具や、小型計算機、携帯電話等を収納する必要があることから、これらの小物を、他の収納物の邪魔になることなく適切に分類して収納できると便利である。
しかしながら、このような多種類のビジネスに必要な小物を、他の収納物、例えば、出張の際に使用する着替用の衣服類等と適切に仕分けして収納できるようなバッグが存在しなかった。
【考案の開示】
【考案が解決しようとする課題】
【０００３】
そこで、本願考案は、日常のビジネスに必要な多種類の小物を適宜、分類仕分けして、衣服等の他の収納物と分別した形で適切に仕分けして収納することができるバッグを提供することにある。
【課題を解決するための手段】
【０００４】
上記課題解決のため請求項１記載の考案にあっては、バッグ本体の厚さ方向内側部には、上記バッグ本体に固定されて複数のポケット部を有するオーガナイザー部が設けられると共に、上記オーガナイザー部を開閉可能に被覆すると共に主収納部との間を仕切る被覆パネルが設けられていることを特徴とする。
【０００５】
従って、上記オーガナイザー部に各種の収納物を収納した後には、上記被覆パネルを閉じ上記オーガナイザー部を被覆した状態で、上記主収納部へ他の収納物、例えば、出張に使用する着替え用の衣服を収納することができる。
請求項２記載の考案にあっては、上記オーガナイザー部はバッグの一方の厚さ方向側面板部の内方全体に亘って設けられていることを特徴とする。
【０００６】
請求項３記載の考案にあっては、上記被覆パネルは、下端部が厚さ方向側面板部の下端部に接合され、両側端部及び上端部がジッパーにより上記厚さ方向側面板部に開閉可能に固定されることを特徴とする。
請求項４記載の考案にあっては、上記被覆パネルは、ファスナーにより上記厚さ方向側面板部に着脱可能に固定されていることを特徴とする。
請求項５記載の考案にあっては、上記バッグ本体には副収納部が設けられ、上記副収納部を画成する仕切り板及びバッグ本体の裏面側の厚さ方向側面板部には、内部が視認可能なメッシュ状のポケット部が設けられていることを特徴とする。
【０００７】
請求項６記載の考案にあっては、バッグ本体の裏面側の厚さ方向側面板部の外部には、上方に開口部を有するポケット部が形成され、上記ポケット部の上端部には、キャリーバッグのハンドル部が挿入されうるスリットが形成され、上記スリットはジッパーにより開閉可能に形成されていると共に、上記ポケット部の上縁部は上記スリットの長さ方向中央部に設けられたフックにより上記ポケット部を上記側面板部へ固定しうるように構成されていることを特徴とする。
【０００８】
従って、本考案に係るバッグをキャリーバッグ上に載せて搬送する場合には、キャリーバッグのハンドル部を引き出して、上記ファスナーを開放してスリット内に上記ハンドル部を挿通させてバッグをキャリーバッグ上に固定することができる。
さらに、上記フックによりポケット部の上縁部を上記側面板部へ固定することができる。
【考案の効果】
【０００９】
請求項1ないし５記載の考案にあっては、上記オーガナイザー部に各種の小物からなる収納物を収納した後には、上記被覆パネル部を閉じることにより、上記オーガナイザー部を被覆すると共に主収納部との間を仕切ることができることから、主収納部へ他の物、例えば、ビジネスの出張に本考案に係るバッグを使用する場合には、着替え用の衣服等を収納する際に、オーガナイザー部に収納された各種の小物に干渉することなく収納が可能となり、主収納部への収納物の収納及び出し入れが容易となる。
【００１０】
また、主収納部に収納された収納物はオーガナイザー部に収納した、例えば、文房具等とは隔離された状態となることから、文房具等により収納物が汚れるといった事態を有効に防止することができる。
また、請求項２記載の考案にあっては、上記効果に加えて、上記オーガナイザー部はバッグの一方の厚さ方向側面板部の内方全体に亘って設けられていることから、多種類、多数の小物を適宜整理して収納することができ、特に、出張等の長時間、小物を持ち歩いてビジネスを行う場合には便利である。
【００１１】
また、請求項3記載の考案にあっては、上記効果に加えて、上記被覆パネルは、下端部が厚さ方向側面板部の下端部に回動可能に固定され、両側端部及び上端部がジッパーにより上記厚さ方向側面板部に開閉可能に固定されることから、容易にオーガナイザー部を被覆して主収納部との間を仕切ることができる。
請求項４記載の考案にあっては、上記被覆パネルは、ファスナーにより上記厚さ方向側面板部に着脱可能に固定されていることから、上記被覆パネルが不要な場合には容易に取り外すこともできる。
【００１２】
また、請求項5記載の考案にあっては、上記効果に加えて、副収納部にはメッシュ状のポケット部が設けられていることから、ポケット部内に収納した収納物を外部から視認して確認することができる。
また、請求項6記載の考案にあっては、キャリーバッグのハンドル部が挿通されるスリット部がジッパーにより開閉可能に形成されていることから、ハンドル部に挿通して使用しない場合には上記スリット部は閉止することができることから外観品質を向上させることができる。
【００１３】
また、上記フックを使用して上記ポケット部の開口部を固定することもでき、また、キャリーバッグへの固定時に上記フックを使用してポケット部を上記側面板部へ固定した場合には、ハンドル部へより確実にバッグ本体を固定することができる。
【考案を実施するための最良の形態】
【００１４】
以下、添付図面に示す形態に基づき本願発明を詳細に説明する。
図１に示すように、本実施の形態に係るバッグ１０は、Ａ４サイズのコンピューターを収納できる大きさに形成されたバッグ本体２０を有し、正面側の厚さ方向の側面板部１２と、この厚さ方向側面板部１２に対向して配置されて裏面側の厚さ方向の側面板部１３と、所定幅の厚さ寸法を有するマチ部１１を有している。
【００１５】
上記側面板部１２の外部には2つの外方ポケット部１４，１５が設けられると共に、上記マチ部１１の長さ方向両端部には、ショルダーベルト１７の固定用具１６が取り付けられ、ショルダーベルト１７を上記固定用具１６に係合固定させることによりショルダーベルト１７を利用して肩に担ぐことができる。
上記側面板部１２，１３の上端部には半円状のハンドル部３９，４０が固定され上記ハンドル部３９，４０を握持することにより手で持って搬送することができる。
【００１６】
上記マチ部１１の幅方向における正面側の側面板部１２寄り及び裏面側の側面板部１３には、ジッパーにより開閉可能に構成された開口部３５，３６が設けられ、夫々、主収納部３２及び副収納部２３へ収納物を収納し、かつ取り出せるように構成されている。
また、図２に示すように、上記正面側の側面板部１２の内側面部には、複数のポケット部１８を有するオーガナイザー部１９がバッグ本体２０に縫合された状態で固定されて設けられている。
【００１７】
本実施の形態にあっては、図２に示すように、上記複数のポケット部１８は７個設けられ、上下2段に形成された3連のポケット１８aと、大型のポケット１８ｂとからなっている。
そして、図２及び図３に示すように、上記オーガナイザー部１９のさらに内側方には、上記オーガナイザー部１９を全面的に開閉可能に被覆すると共に主収納部３２との間を仕切る被覆パネル２１が設けられている。
【００１８】
上記被覆パネル２１は、構成樹脂製布材からなり、両端部下部３７，３８において上記側面板部１２の内方部に接合され、両側端部及び上端部がジッパー２２により上記側面板部１２に開閉可能に固定されている。
また、図４に示すように、上記副収納部２３の外方を形成する側面板部１３と、上記副収納部２３の内方を画成する仕切り板部４１の夫々の内側部には、内部が視認可能なメッシュ状のポケット部２６，２７が設けられている。
【００１９】
さらに、図５に示すように、バッグ本体２０の裏面側の側面板部１３の外部には、上方に開口部を有するポケット部２９が形成されている。
上記ポケット部２９の上端部には、キャリーバッグのハンドル部が挿入されうるスリット３０が形成され、上記スリット３０はジッパー３３により開閉可能に形成されている。また、上記ポケット部２９の上縁部は上記スリット３０の長さ方向中央部に設けられたフックボタン３１ａ及び上記側面板部１３の上記フックボタン３１ａに対応する部位に設けられたフックボタン３１ｂを係合させることにより上記ポケット部２９の上端部を上記側面板部１３へ固定しうるように構成されている。
【００２０】
（作用）
従って、本実施の形態に係るバッグ１０にあっては、使用時に、ビジネスに必要な、ペン、計算機、携帯電話等の文房具、名刺等の小物をオーガナイザー部１９を構成する複数の小型ポケット１８ａ及び大型ポケット部１８ｂへ適宜分類して収納することができる。そして、主収納部３２へ、他の収納物を収納する際には、上記被覆パネル２１によりオーガナイザー部１９を被覆した上で、ジッパー２２により側面板部１２へ固定することにより上記オーガナイザー部１９を完全に被覆することができる。
【００２１】
従って、他の収納物を主収納部３２へ円滑に収納することができ、また、取り出し時にも、オーガナイザー部１９に収納した小物と干渉することなく、円滑に取り出すことができる。
特に、本実施の形態に係るバッグ１０は、Ａ４サイズのコンピュータを収納できるように大型に形成されており、例えば、一泊又は二泊程度の出張であれば着替え等の衣服を上記主収納部３２及び副収納部２３へ収納して使用することができる。
【００２２】
このような場合、上記被覆パネル２１はオーガナイザー部１９を全面的に被覆することから、衣服の収納又は取り出しの際にオーガナイザー部１９を構成する多数のポケット部１８ａ，１８ｂ内に収納した小物に干渉することなく、円滑に出し入れすることができる。
【００２３】
また、本バッグ１０をキャリーバッグに載せて搬送する場合には、図５及び図６に示すように、裏面側の側面板部１３のジッパー３３を開放して形成されるスリット３０にキャリーバッグのハンドル部を挿通させてキャリーバッグ上に本実施の形態に係るバッグ１０を固定して搬送する。
さらに、上記フックボタン３１ａ，３１ｂを係合させることにより、より強固にハンドル部にスリット３０を固定させて搬送することもできる。
【００２４】
なお、本実施の形態にあっては、上記被覆パネル２１がジッパーにより開閉可能に側面板部１２に対して固定される場合を例に説明したが、上記実施の形態に限定されず、例えば、図７に示すように、両面ファスナー３４ａ，３４ｂを使用して着脱可能に取り付けることができる。
本実施の形態にあっては、図７に示すように、被服パネル２１の上端部には長さ方向に沿って所定間隔をおいて２箇所に両面ファスナー３４ａ，３４ｂが設けられており、上記側面板部１２の対応する部位にも互いに係合しうる両面ファスナー３４ａ，３４ｂが設けられている。
【００２５】
本実施の形態にあっては、図７に示すように、オーガナイザー部１９の上端部には所定間隔を置いて2箇所に両面ファスナーの一方３４ａ，３４ｂが固定されており、一方、被覆パネル２１の上端部にも両面ファスナーの他方３４ａ，３４ｂが固定されており、上記両面ファスナー３４ａ，３４ｂを係合させることにより、被覆パネル２１によりオーガナイザー部１９を被覆することができる。
また、本実施の形態にあっては、不要な場合には、上記被覆パネル２１を除去することもできる。
【産業上の利用可能性】
【００２６】
本考案に係るバッグは、ビジネスに利用される文房具等の多数の小物を分類して収納すると共に、出張の際に持ち歩く必要のある衣服等を、小物等に干渉することなく搬送する要請のバッグに適用することができる。
【図面の簡単な説明】
【００２７】
【図１】本考案に係るバッグの一実施の形態を示す斜視図である。
【図２】本考案に係るバッグの一実施の形態であって、主収納部を開放した状態を示す斜視図である。
【図３】本考案に係るバッグの一実施の形態であって、オーガナイザー部を被覆パネルにより被覆した状態を示す平面図である。
【図４】本考案に係るバッグの一実施の形態であって、副収納部を開放した状態を示す斜視図である。
【図５】本考案に係るバッグの一実施の形態であって、バッグ本体の裏面側を示す斜視図である。
【図６】本考案に係るバッグの一実施の形態であって、バッグ本体の裏面側のスリットを一部拡大して示す図である。
【図７】本考案に係るバッグの他の実施の形態であって、被服パネルを両面ファスナーにより着脱可能に側面板部に固定する場合を示す側面図である。
【符号の説明】
【００２８】
１０  バッグ
１１  マチ部
１２  側面板部
１３  側面板部
１４  外方ポケット部
１５  外方ポケット部
１６  固定用具
１７  ショルダーベルト
１８  ポケット部
１９  オーガナイザー部
２０  本体部  
２１  被覆パネル
２２  ジッパー
２３  副収納部
２６  ポケット部
２７  ポケット部
２９  ポケット部
３０  スリット
３１  フックボタン
３２  主収納部
３３  ジッパー
３４  両面ファスナー
３５  開口部
３６  開口部
３７  下部
３８  下部
３９  ハンドル部
４０  ハンドル部
４１  仕切り板部
【図１】
0003140482.tif 000003
【図２】
0003140482.tif 000004
【図３】
0003140482.tif 000005
【図４】
0003140482.tif 000006
【図５】
0003140482.tif 000007
【図６】
0003140482.tif 000008
【図７】
0003140482.tif 000009
【手続補正書】
【提出日】平成20年1月16日(2008.1.16)
【手続補正１】
【補正対象書類名】図面
【補正対象項目名】図２
【補正方法】変更
【補正の内容】
【図２】
0003140482.tif 000010